(57)【要約】【課題】応答性に優れた動的なオフセット除去を可能とするとともに、センサを動作させながら、オフセットを更新していくことができるようにする。【解決手段】スイッチ回路網２によりホール素子３に与える電源の極性を切り替え、ホール素子３のセンサ信号を、電源の極性の切り替えの前後でサンプルホールドし、このサンプルホールド値からホール素子のオフセットを抽出し、オフセットをメモリ１２に記憶しておく。そして、この記憶されたオフセットを用いて、センサ信号のオフセットを除去する。オフセットの更新が必要と判断されたら、ホール素子３に与える電流の極性を切り替え、ホール素子のセンサ信号を、電流の極性の切り替えの前後でサンプルホールドし、極性切り替えの前後におけるサンプルホールド値からホール素子のオフセットを抽出して、メモリ１２を更新する。【選択図】  図１
2008164297.tif 000002
【特許請求の範囲】
【請求項１】
ホール素子を用いた電流センサであって、
前記ホール素子に極性を切り替えて電源を供給し、センサ信号を抽出するセンサ信号抽出手段と、
該抽出されたセンサ信号を、切り換えられる電源の極性に対応して、サンプルホールドするサンプルホールド回路と、
該サンプルホールドされた信号からオフセットを抽出するオフセット抽出手段と、
該抽出されたオフセットを記憶する記憶手段と、
前記センサ信号から前記記憶手段に記憶されたオフセットを減じてオフセットを除去するオフセット除去手段と、
を備えることを特徴とする電流センサ。
【請求項２】
前記サンプルホールド回路から前記ホール素子の対応信号を生成する対応信号生成手段と、
前記センサ信号と、前記対応信号とを切り替えて出力する切替出力手段と、を有し、
前記オフセット抽出手段において前記オフセットを抽出する期間では、前記対応信号を前記センサ信号として出力することを特徴とする請求項１に記載の電流センサ。
【請求項３】
ホール素子を用いた電流センサのオフセット除去方法であって、
前記ホール素子に極性を切り替えて電源を供給し、センサ信号を抽出するとともに、該センサ信号を切り換えられる電源の極性に対応して、サンプルホールドし、該サンプルホールドされた信号からオフセットを抽出する第１のステップと、
該オフセットを記憶手段に記憶する第２のステップと、
該記憶手段から前記オフセットを読み出し、前記センサ信号から前記記憶手段に記憶されたオフセットを減じてオフセットを除去する第３のステップと、
前記オフセットの更新が必要かどうかを判断し、前記オフセットの更新が必要であると判断したときに、前記ホール素子に極性を切り替えて電源を供給し、センサ信号を抽出するとともに、該センサ信号を切り換えられる電源の極性に対応して、サンプルホールドし、該サンプルホールドされた信号からオフセットを抽出し、該抽出されたオフセットにより前記記憶手段のオフセットを更新する第４のステップと、
を有することを特徴とする電流センサのオフセット除去方法。
【請求項４】
前記第１のステップにおいて、前記サンプルホールドされた信号から前記ホール素子の対応信号を生成し、前記オフセットを抽出する期間では、前記対応信号をセンサ信号として出力することを特徴とする請求項３に記載の電流センサのオフセット除去方法。
【発明の詳細な説明】
【技術分野】
【０００１】
本発明は、ホール素子を用いた電流センサおよび電流センサのオフセット除去方法に関する。
【背景技術】
【０００２】
磁気−電気変換機能を持つホール素子は、電気的絶縁を必要とする電流センサとして利用され、測定回路に比べて高電圧になる線路や各種電気機器のライン電流を検出するために、ギャップを有するコアを介してライン電流で発生する磁界の強さを電圧に変換して電流検出信号として取り出すものである。しかし、このホール素子には、部品較差、固体差等に伴う固有のオフセットが存在し、このオフセットは、さらに感度のバラツキや温度変化等の環境的な要因によって変化する特性を有している。
【０００３】
そのため、こうしたオフセットを除去する方法として、ホール素子の出力を予め測定し、オフセットレベルが規定値に合うように予め調整を行う方法がある。この方法は、応答速度が速いという利点を有するものの、径時変化にともなう特性の劣化や環境温度の変化等の要因によって、一度調整したオフセット値がずれてしまうという問題がある。
【０００４】
そのため、上記の問題に対応するために、動的にホール素子のオフセットを除去する方法として、ホール素子に与える電流の極性を切り替えて、出力された信号の差分値を得ることにより、ホール素子のオフセットを除去する方法が知られている（例えば、特許文献１参照。）。
【特許文献１】特開２００５−３００３０３号公報
【発明の開示】
【発明が解決しようとする課題】
【０００５】
しかしながら、特許文献１に記載された方法では、電流の極性を切り替えるための時間や出力信号が安定するまでの時間、演算に必要な時間等が制約となり、電流の極性を切り替える周波数を上げることに限界があったために、応答性が悪いという問題があった。
【０００６】
また、特許文献１に記載された方法では、センサを動作させる前にオフセットを抽出しておく必要があり、センサを動作させながら、オフセットを更新していくことは難しいという問題があった。
【０００７】
そこで、本発明は、上述の課題に鑑みてなされたものであり、応答性に優れた動的なオフセット除去を可能とするとともに、センサを動作させながら、オフセットを更新することができる電流センサおよび電流センサのオフセット除去方法を提供することを目的とする。
【課題を解決するための手段】
【０００８】
本発明は、上記の課題を解決するために以下の事項を提案している。
（１）本発明は、ホール素子を用いた電流センサであって、前記ホール素子に極性を切り替えて電源を供給し、センサ信号を抽出するセンサ信号抽出手段と、該抽出されたセンサ信号を、切り換えられる電源の極性に対応して、サンプルホールドするサンプルホールド回路と、該サンプルホールドされた信号からオフセットを抽出するオフセット抽出手段と、該抽出されたオフセットを記憶する記憶手段と、前記センサ信号から前記記憶手段に記憶されたオフセットを減じてオフセットを除去するオフセット除去手段と、を備えることを特徴とする電流センサを提案している。
【０００９】
この発明によれば、ホール素子に与える電源の極性を切り替え、ホール素子のセンサ信号を、電源の極性の切り替えの前後でサンプルホールドを行い、極性切り替えの前後のサンプルホールド値からホール素子のオフセットを抽出し、抽出されたオフセットを記憶手段に記憶しておき、この記憶手段に記憶されたオフセットを用いて、センサ信号のオフセットを除去する。したがって、これにより、記憶手段のオフセットを更新することで、必要に応じて、オフセットの除去に用いられるオフセットの値を適宜、最適値に更新することができる。
【００１０】
（２）本発明は、（１）の電流センサについて、前記サンプルホールド回路から前記ホール素子の対応信号を生成する対応信号生成手段（例えば、図４の差動増幅器２１、ＬＰＦ２３に相当）と、前記センサ信号と、前記対応信号とを切り替えて出力する切替出力手段（例えば、図４のスイッチ２２ａ、２２ｂに相当）とを有し、前記オフセット抽出手段において前記オフセットを抽出する期間では、前記対応信号を前記センサ信号として出力することを特徴とする電流センサを提案している。
【００１１】
この発明によれば、極性切り替えの前後のサンプルホールド値からホール素子の対応信号を生成し、オフセット抽出手段でホール素子のオフセットを抽出する期間では、ホール素子の対応信号をセンサ信号として出力する。したがって、ホール素子の動作を中断することなく、オフセットを更新することができる。
【００１２】
（３）本発明は、ホール素子を用いた電流センサのオフセット除去方法であって、前記ホール素子に極性を切り替えて電源を供給し、センサ信号を抽出するとともに、該センサ信号を切り換えられる電源の極性に対応して、サンプルホールドし、該サンプルホールドされた信号からオフセットを抽出する第１のステップ（例えば、図３のステップＳ２に相当）と、該オフセットを記憶手段に記憶する第２のステップ（例えば、図３のステップＳ３に相当）と、該記憶手段から前記オフセットを読み出し、前記センサ信号から前記記憶手段に記憶されたオフセットを減じてオフセットを除去する第３のステップ（例えば、図３のステップＳ４に相当）と、前記オフセットの更新が必要かどうかを判断し、前記オフセットの更新が必要であると判断したときに、前記ホール素子に極性を切り替えて電源を供給し、センサ信号を抽出するとともに、該センサ信号を切り換えられる電源の極性に対応して、サンプルホールドし、該サンプルホールドされた信号からオフセットを抽出し、該抽出されたオフセットにより前記記憶手段のオフセットを更新する第４のステップ（例えば、図３のステップＳ５に相当）と、を有することを特徴とする電流センサのオフセット除去方法を提案している。
【００１３】
この発明によれば、ホール素子に与える電源の極性を切り替え、ホール素子のセンサ信号を電源の極性の切り替えの前後でサンプルホールドし、極性切り替えの前後のサンプルホールド値からホール素子のオフセットを抽出し、抽出されたオフセットを記憶手段に記憶する。そして、この記憶手段に記憶されたオフセットを用いて、センサ信号のオフセットを除去し、オフセットの更新が必要と判断されたときに、ホール素子に与える電源の極性を切り替え、ホール素子のセンサ信号を、電源の極性の切り替えの前後でサンプルホールドし、極性切り替えの前後のサンプルホールド値からホール素子のオフセットを抽出し、抽出されたオフセットにより記憶手段のオフセットを更新する。したがって、（１）と同様の作用が期待できる。
【００１４】
（４）本発明は、（３）の電流センサのオフセット除去方法において、前記第１のステップにおいて、前記サンプルホールドされた信号から前記ホール素子の対応信号を生成し、前記オフセットを抽出する期間では、前記対応信号をセンサ信号として出力（例えば、図５のステップＳ１０２に相当）することを特徴とする電流センサのオフセット除去方法を提案している。
【００１５】
この発明によれば、オフセットを抽出する期間では、極性切り替えの前後のサンプルホールド値からホール素子の対応信号を生成し、ホール素子の対応信号をセンサ信号として出力する。したがって、（２）と同様の作用が期待できる。
【発明の効果】
【００１６】
本発明によれば、応答性に優れた動的なオフセット除去を可能とするとともに、オフセットを記憶手段に記憶しておくことにより、電流センサを動作させながら、オフセットを適宜、最適値に更新することができるという効果がある。
【発明を実施するための最良の形態】
【００１７】
以下、本発明の実施形態について、図面を用いて、詳細に説明する。
なお、本実施形態における構成要素は適宜、既存の構成要素等との置き換えが可能であり、また、他の既存の構成要素との組合せを含む様々なバリエーションが可能である。したがって、本実施形態の記載をもって、特許請求の範囲に記載された発明の内容を限定するものではない。
【００１８】
＜第１の実施形態＞
図１は、本実施形態に係るセンサ信号処理回路の構成を示している。
図１に示すように、スイッチ回路網２は、４つのスイッチＳａ、Ｓｂ、Ｓｃ、Ｓｄからなっている。スイッチＳａは、一端が定電流源１に、他端がホール素子３の電流端子３ａにされ、スイッチＳｂは、一端がグランドに、他端がホール素子３の電流端子３ａにされ、スイッチＳｃは、一端が定電流源１に、他端がホール素子３の電流端子３ｂにされ、スイッチＳｄは、一端がグランドに、他端がホール素子３の電流端子３ｂに接続されている。
【００１９】
ホール素子３は、例えば、十字形をなし、相対向する電流端子３ａ、３ｂと相対向するホール端子３ｃ、３ｄの４つの端子が設けられ、ホール端子３ｃは、差動増幅器４の正端子に、ホール端子３ｄは、差動増幅器４の負端子に接続されている。
【００２０】
また、差動増幅器４の出力端子は、差動増幅器８の正端子に接続されていると共に、サンプルホールド回路（Ｓ／Ｈ）５、６に接続されている。サンプルホールド回路（Ｓ／Ｈ）５及びサンプルホールド回路（Ｓ／Ｈ）６の出力端子は、加算器７の一方及び他方の入力端子に接続され、加算器７の出力端子は、ローパスフィルタ（ＬＰＦ）９を介して、Ａ／Ｄ変換器（ＡＤＣ）１０に接続されている。
【００２１】
ここで、定電流源１は、ホール素子３に一定の電流を供給する電源であり、スイッチ回路網２は、制御部１１のコントロールの基に、タイミング発生回路２５により、定電流源１から供給される電流の極性を切り替えてホール素子３に供給する。ホール素子３は、磁気を電気信号に変換する素子であり、差動増幅器４、８は、入力される信号の差分を増幅して出力する増幅器である。また、サンプルホールド回路５、６は、入力信号を所定のサンプリング周波数でサンプリングし、サンプリングした値を一時的に保持する回路である。なお、差動増幅器４、８のゲインについては、適切なゲインに設定されているものとする。
【００２２】
ホール素子３からのセンサ信号（ＨＥＳｉｇ）は、差動増幅器４の出力端子から出力される。なお、この出力信号には、オフセットが含まれている。ここで、スイッチ回路網２を、制御部１１のコントロールに基づいて、タイミング発生回路２５により、所定の周期で切り換えることにより、定電流源１からの電流の極性を切り替えて、ホール素子３の電流端子３ａ、３ｂに供給する。そして、切り替えの前後で差動増幅器４から出力された信号を、ホール素子３に供給される極性に応じて、タイミング発生回路２５からのサンプリングパルスにより、サンプルホールド回路（Ｓ／Ｈ）５または６でサンプルホールドし、その値を加算器７で加算することよってオフセットの値が得られる。
【００２３】
つまり、図２（Ａ）に示すように、スイッチ回路網２によりホール素子３の電流を切り替えて、切り替えの前後における差動増幅器４からのホール素子３のセンサ信号（図２（Ｂ））を、図２（Ｃ）及び図２（Ｄ）に示すように、サンプルホールド回路（Ｓ／Ｈ）５及び６でサンプルホールドする。そして、正極性の電流を流したときのホール素子３の出力信号をＨＥ（＋）とし、負極性の電流を流したときのホール素子３の出力信号をＨＥ（−）とし、さらに、オフセットをＨＥｏｆとすると、定電流源１からの電流を正極性としたときの差動増幅器４の出力信号Ｖ１は、Ｖ１＝ＨＥ（＋）＋ＨＥｏｆとなり、このときの出力電圧Ｖ１がサンプルホールド回路（Ｓ／Ｈ）５にホールドされる。
【００２４】
次に、スイッチ回路網２を切り替えて、定電流源１からの電流を負極性とすると、差動増幅器４の出力信号Ｖ２は、Ｖ２＝ＨＥ（−）＋ＨＥｏｆとなり、このときの出力電圧Ｖ２がサンプルホールド回路（Ｓ／Ｈ）６にホールドされる。
【００２５】
そして、加算器７により、サンプルホールド回路（Ｓ／Ｈ）５のホールド値と、サンプルホールド回路（Ｓ／Ｈ）６のホールド値とが加算されると、オフセット成分の値だけを得ることができる。
【００２６】
このように、加算器７で、正の極性に対応したサンプルホールド回路（Ｓ／Ｈ）５のサンプルホールド値と負の極性に対応したサンプルホールド回路（Ｓ／Ｈ）６のサンプルホールド値とを加算することにより、オフセットを得ることができる。このオフセット値は、ローパスフィルタ９により高周波成分が除去されて平滑された後に、Ａ／Ｄ変換器（ＡＤＣ）１０に送られてディジタル化され、メモリ１２に保存される。このようにして、メモリ１２には、ホール素子３のオフセットが保存される。
【００２７】
そして、ホール素子３のセンサ信号を出力する場合には、メモリ１２に蓄積されているオフセットを用いて、オフセットの除去が行われる。すなわち、差動増幅器４からは、オフセットを含むセンサ信号が出力され、このセンサ信号が差動増幅器８に供給される。また、メモリ１２からオフセット値が読み出され、このオフセット値がＤ／Ａ変換器（ＤＡＣ）１３でアナログ値に変換されて、差動増幅器８に供給される。差動増幅器８では、差動増幅器４からのオフセットを含むホール素子３のセンサ信号（ＨＥＳｉｇ）から、メモリ１２からのオフセットを減算することでオフセットを含まないホール素子３のセンサ信号（ＳｉｇＯｕｔ）を得ることができる。
【００２８】
図３は、本実施形態の処理を示すフローチャートである。
図３に示すように、パワーオンして回路を起動すると（ステップＳ１の「Ｙｅｓ」）、スイッチ回路網２の極性を切り替え、切り替えの前後における差動増幅器４の出力（ＨＥＳｉｇ）がサンプルホールド回路（Ｓ／Ｈ）５および６にサンプルホールドされ、このサンプルホールド値からオフセット（ＨＥｏｆ）を抽出する（ステップＳ２）。
【００２９】
ここで、オフセットが抽出されると、このオフセットをメモリ１２に記憶する（ステップＳ３）。メモリ１２にオフセットを記憶すると、このオフセットを用いてオフセットの除去を行い、オフセットが除去されたセンサ信号（ＳｉｇＯｕｔ）を出力する（ステップＳ４）。そして、次に、オフセットの更新が必要かどうかを判断し（ステップＳ５）、オフセットの更新が不要であると判断した場合（ステップＳ５の「Ｎｏ」）には、ステップＳ４にリターンし、センサ信号の出力を続行する。
【００３０】
ここで、オフセットの更新は、所定時間毎に行っても良いし、エラーが発生したときに行っても良い。例えば、温度が異常に上昇しているときや、オフセット値が異常に大きいときには、エラーが発生していると判断でき、このような場合には、オフセットの更新が必要であると判断できる。
【００３１】
ステップＳ５でオフセットの更新が必要であると判断した場合（ステップＳ５の「Ｙｅｓ」）には、ステップＳ２にリターンし、オフセットを新たに抽出し、この新たに求められたオフセットをメモリ１２に記憶する（ステップＳ３）。そして、新たに抽出したオフセットを用いてオフセットの除去を行い、オフセットが除去されたセンサ信号を出力する（ステップＳ４）。
【００３２】
したがって、本実施形態においては、オフセットをメモリ１２に記憶しておくことにより、所定時間毎や、エラーが発生したときに、適宜、オフセットの値を最適値に更新することが可能になる。
【００３３】
＜第２の実施形態＞
図４は、本実施形態に係るセンサ信号処理回路の構成を示している。
なお、第１の実施形態と同一の符号を付す構成要素については、同一の機能を有するものであるため、詳細な説明は省略する。また、差動増幅器４、８、２１のゲインについては、適切なゲインに設定されているものとする。
【００３４】
本実施形態では、サンプルホールド回路（Ｓ／Ｈ）５の出力信号と、サンプルホールド回路（Ｓ／Ｈ）６の出力信号とを減算して、センサ信号に対応する信号を出力する差動増幅器２１と、差動増幅器２１の出力を平滑するローパスフィルタ（ＬＰＦ）２３と、ローパスフィルタ（ＬＰＦ）２３を介した差動増幅器２１の出力信号と、差動増幅器８の出力信号とを切り替えるスイッチ２２ａ及び２２ｂとが設けられている。このような構成とすることにより、オフセットを求めている間でも、センサ信号を出力することができる。
【００３５】
つまり、前述したように、定電流源１からの電流を正極性としたときの差動増幅器４の出力信号Ｖ１は、Ｖ１＝ＨＥ（＋）＋ＨＥｏｆとなり、この出力信号Ｖ１がサンプルホールド回路（Ｓ／Ｈ）５にサンプルホールドされる。また、定電流源１からの電流を負極性とすると、差動増幅器４の出力信号Ｖ２は、Ｖ２＝ＨＥ（−）＋ＨＥｏｆとなり、この出力信号Ｖ２がサンプルホールド回路（Ｓ／Ｈ）６にサンプルホールドされる。ここで、サンプルホールド値Ｖ１と、サンプルホールド値Ｖ２とを減算すると、Ｖ１−Ｖ２＝２ＨＥＳｉｇとなり、オフセットの除去されたセンサ信号に対応する信号を得ることができる。
【００３６】
図５は、本実施形態の処理を示すフローチャートである。
図５に示すように、パワーオンして回路を起動すると（ステップＳ１０１の「Ｙｅｓ」）、スイッチ２２ａを選択する（ステップＳ１０２）。そして、スイッチ回路網２の極性を切り替え、切り替えの前後における差動増幅器４の出力をサンプルホールド回路（Ｓ／Ｈ）５および６にサンプルホールドし、サンプルホールド回路（Ｓ／Ｈ）５および６のサンプルホールド値から、センサの対応信号を求め、差動増幅器２１から出力する（ステップＳ１０３）。これと共に、スイッチ回路網２の極性を切り替え、切り替えの前後における差動増幅器４の出力をサンプルホールド回路５（Ｓ／Ｈ）および６においてサンプルホールドし、このサンプルホールド値からオフセット（ＨＥｏｆ）を抽出する（ステップＳ１０４）。そして、オフセットを抽出すると、このオフセットをメモリ１２に記憶する（ステップＳ１０５）。
【００３７】
メモリ１２にオフセットを記憶すると、スイッチ２２ｂを選択する（ステップＳ１０６）。そして、メモリ１２に記憶されていたオフセットを読み出し、このオフセットを用いてオフセットの除去を行い、オフセットが除去されたセンサ信号（ＳｉｇＯｕｔ）を出力する（ステップＳ１０７）。次に、オフセットの更新が必要かどうかを判断し（ステップＳ１０８）、オフセットの更新が不要と判断した場合（ステップＳ１０８の「Ｎｏ」）には、ステップＳ１０７にリターンし、センサ信号の出力を続行する。
【００３８】
一方で、ステップＳ１０８でオフセットの更新が必要であると判断した場合には（ステップＳ１０８の「Ｙｅｓ」）、ステップＳ１０２にリターンし、スイッチ２２ａを選択する。そして、スイッチ回路網２の極性を切り替え、切り替えの前後における差動増幅器４の出力をサンプルホールド回路（Ｓ／Ｈ）５および６においてサンプルホールドし、サンプルホールド回路５および６のサンプルホールド値から、センサの対応信号を求め、差動増幅器２１から出力する（ステップＳ１０３）。また、これと共に、スイッチ回路網２の極性を切り替え、切り替えの前後における差動増幅器４の出力をサンプルホールド回路（Ｓ／Ｈ）５および６においてサンプルホールドし、このサンプルホールド値からオフセットを抽出し（ステップＳ１０４）、このオフセットをメモリ１２に記憶する（ステップＳ１０５）。
【００３９】
そして、メモリ１２にオフセットを記憶すると、スイッチ２２ｂを選択し（ステップＳ１０６）、メモリ１２から新たなオフセットを読み出し、この新たなオフセットを用いてオフセットの除去を行い、オフセットが除去されたセンサ信号を出力する（ステップＳ１０７）。
【００４０】
したがって、本実施形態では、オフセットを求めている期間でも、差動増幅器２１からセンサの対応信号を得ることができる。このため、センサを動作させながら、オフセットを適宜、最適値に更新することができる。
【００４１】
以上、この発明の実施形態につき、図面を参照して詳述してきたが、具体的な構成はこの実施形態に限られるものではなく、この発明の要旨を逸脱しない範囲の設計等も含まれる。例えば、上述の実施形態においては、ホール素子に供給する電源の極性を切り換えることにより、オフセットの除去（チョッパスタビライゼーション）とオフセットの検出を行う手法について説明したが、シリコンのホール素子の場合には、素子の製造工程において生じる歪みやパッケージに対する応力等の影響によりピエゾ抵抗効果が生じ、これにより生じるオフセットの方が大きいという特徴がある。そのため、シリコンのホール素子の場合には、ホール素子に印加する電源と信号出力端子の関係を９０度回転させて、得られた出力信号によりオフセットの除去（チョッパスタビライゼーション）やオフセットの検出を行うことが望ましい。
【図面の簡単な説明】
【００４２】
【図１】本発明の第１実施形態に係る電流センサの構成図である。
【図２】本発明の第１実施形態に係る電流センサにおけるサンプリングのタイミングを示す図である。
【図３】本発明の第１実施形態に係る電流センサの動作を示すフローチャートである。
【図４】本発明の第２実施形態に係る電流センサの構成図である。
【図５】本発明の第２実施形態に係る電流センサの動作を示すフローチャートである。
【符号の説明】
【００４３】
１・・・  定電流源、２・・・スイッチ回路網、  ３・・・  ホール素子、４、８・・・  差動増幅器、  ５、６・・・  サンプルホールド回路（Ｓ／Ｈ）、  ７・・・  加算器、９、２３・・・  ローパスフィルタ（ＬＰＦ）、１０・・・Ａ／Ｄ変換器（ＡＤＣ）、１１・・・  制御部、１２・・・  メモリ、１３・・・Ｄ／Ａ変換器（ＤＡＣ）、２２ａ、２２ｂ・・・  スイッチ、２５・・・タイミング発生回路、
【図１】
2008164297.tif 000003
【図２】
2008164297.tif 000004
【図３】
2008164297.tif 000005
【図４】
2008164297.tif 000006
【図５】
2008164297.tif 000007